(57)【特許請求の範囲】
【請求項１】
床パンの表面に突出した堰を介して浴槽エプロンを取付ける構造であって、浴槽エプロンの表面側に配される回転ハンドルの裏面に軸部を突出し、軸部の先端部に角軸を形成し、回転ハンドルに対向する挟持片にはボスが突出され、ボスに角穴が形成され、回転ハンドルの軸部を浴槽エプロンの貫通孔に挿通し、角穴に角軸を差し込んで回転ハンドルと挟持片とを一体回転可能に構成し、回転ハンドルの回転によって回転ハンドル及び挟持片とを浴槽エプロンの下端より下方に突出させて挟持片と回転ハンドルとで床パンの堰を挟持して成ることを特徴とする浴槽エプロンの取付け構造。
【請求項２】
挟持片及び回転ハンドルの少なくとも一方に、堰の表面を係止する係止突起を形成して成ることを特徴とする請求項１記載の浴槽エプロンの取付け構造。
【請求項３】
床パンの堰の洗い場側部分に隣接して浴槽エプロンの下部を落とし込み収納するとともに浴槽エプロンの上端部の係止を外すための凹所を形成して成ることを特徴とする請求項１記載の浴槽エプロンの取付け構造。
【請求項４】
浴槽エプロンの下端部の表面に凹部を形成し、凹部に回転ハンドルを回転可能に収め、凹部の縁部に回転ハンドルが一定以上に回転するのを阻止するストッパーを形成して成ることを特徴とする請求項１記載の浴槽エプロンの取付け構造。
【発明の詳細な説明】
【０００１】
【発明の属する技術分野】
本発明は、浴槽エプロンの取付け構造に関し、詳しくは、浴槽エプロンの取付けを簡単、迅速、かつ、正確におこなえるようにしようとする技術に係るものである。
【０００２】
【従来の技術】
従来、浴槽エプロンを取付けるのに際して、図１１（ａ）に示すように、浴槽エプロン３の下端部に断面コ字状をした支持具１０を長孔１１及びビス１２を介して昇降自在に取付け、浴槽エプロン３をけんどん式に取付けるのに際して、浴槽エプロン３に対して上昇させた支持具１０を長孔１１の範囲で下降させて床パン１に形成した堰２に支持具１０を挿合し、支持具１０側のねじ孔にねじ込まれているビス１２を締め付けて支持具１０を床パン１に形成した堰２に固定して浴槽エプロン３を床パン１に固定するものである。
【０００３】
このような取付け構造においては、浴槽エプロン３の下端部の狭い箇所においてビス１２の締め付け操作を要するとともに、浴槽エプロン３側に形成した長孔１１から湯水が浴槽エプロン３の背部側に浸入するという問題があった。
【０００４】
又、同図（ｂ）に示すように、浴槽エプロン３の下端部を堰２に係合させた支持具１０にビス１２にて固定することも考えられるが、浴槽エプロン３の背面側において固定する作業となり、面倒な作業となるものである。
【０００５】
【発明が解決しようとする課題】
本発明はこのような問題に鑑みてなされたものであり、浴槽エプロンの取付けをビスを使うことなく簡単、迅速、かつ、正確におこなえる浴槽エプロンの取付け構造を提供することを課題とするものである。
【０００６】
【課題を解決するための手段】
請求項１においては、床パン１の表面に突出した堰２を介して浴槽エプロン３を取付ける構造であって、浴槽エプロン３の表面側に配される回転ハンドル５の裏面に軸部４ａを突出し、軸部４ａの先端部に角軸８を形成し、回転ハンドル５に対向する挟持片６にはボス１３が突出され、ボス１３に角穴７が形成され、回転ハンドル５の軸部４ａを浴槽エプロン３の貫通孔１５に挿通し、角穴７に角軸８を差し込んで回転ハンドル５と挟持片６とを一体回転可能に構成し、回転ハンドル５の回転によって回転ハンドル５及び挟持片６とを浴槽エプロン３の下端より下方に突出させて挟持片６と回転ハンドル５とで床パン１の堰２を挟持することを特徴とするものである。このような構成によれば、回転ハンドル５の回転によって堰２の裏側において挟持片６を回転させて挟持片６と回転ハンドル５とで堰２を挟持して浴槽エプロン３を床パン１に取付けることができるのであり、従来のようにビスを使用することなく浴槽エプロン３の固定を簡単、迅速、かつ、正確におこなうことができる。
【０００７】
請求項２においては、挟持片６及び回転ハンドル５の少なくとも一方に、堰２の表面を係止する係止突起１９を形成してあることを特徴とするものである。このような構成によれば、係止突起１９を堰２に係止することで挟持片６及び回転ハンドル５の戻り止めをおこなうことができ、浴槽エプロン３の取付けを、一層、確実におこなうことができる。
【０００８】
請求項３においては、床パン１の堰２の洗い場側部分に隣接して浴槽エプロン３の下部を落とし込み収納するとともに浴槽エプロン３の上端部の係止を外すための凹所９を形成してあることを特徴とするものである。このような構成によれば、床パン１に形成した凹所９において浴槽エプロン３の下部を落とし込むことができ、浴槽エプロン３を外しやすくでき、又、凹所９を排水溝に利用することができる。
【００１０】
請求項４においては、浴槽エプロン３の下端部の表面に凹部２１を形成し、凹部２１に回転ハンドル５を回転可能に収め、凹部２１の縁部に回転ハンドル５が一定以上に回転するのを阻止するストッパー２０を形成していることを特徴とするものである。このような構成によれば、浴槽エプロン３の下部表面の凹部２１に回転ハンドル５を収めて回転ハンドル５が浴槽エプロン３の表面から突出することがなく、外観を高めながら、回転ハンドル５を所定の角度に回転させた場合に凹部２１の縁部のストッパー２０に当接してそれ以上の回転操作を阻止することができ、回転ハンドル５を所定の角度に回転させて回転ハンドル５及び挟持片６とによる堰２に対する固定を正しくおこなうことができる。
【００１１】
【発明の実施の形態】
以下、本発明の実施の形態を説明する。図１は概略断面図である。図２（ａ）は同上の要部の断面図、同図（ｂ）は概略正面図である。図３は浴槽エプロンの上部の支持構造を示す断面図である。
【００１２】
浴室の床パン１は、浴槽設置部１ａと洗い場部１ｂとを備えて、浴槽設置部１ａと洗い場部１ｂとに間に堰２を形成して洗い場部１ｂより浴槽設置部１ａ側に湯水が流入するのを抑制するようにしている。このような堰２を利用して浴槽エプロン３を浴槽１６の前面に取付けるようにしている。以下、詳述する。
【００１３】
本発明における基本的な構成は、浴槽エプロン３の下端部に回転自在に貫通する回転体４の両端に挟持片６と回転ハンドル５とを対向して連結し、回転ハンドル５の回転によって回転ハンドル５及び挟持片６とを浴槽エプロン３の下端より下方に突出させて挟持片６と回転ハンドル５とで床パン１の堰２を挟持するようにしたものである。
【００１４】
具体的には、図４（ａ）に示すように、略小判形の回転ハンドル５の表面に突出した摘み１４を形成し、裏面に軸部４ａを突出している。この軸部４ａの先端部は角形に形成されて角軸８になっている。長片板状の挟持片６の表面にはボス１３が突出され、ボス１３には角穴７が形成されている。回転ハンドル５の軸部４ａを浴槽エプロン３の貫通孔１５に挿通し、角穴７に角軸８を差し込むことで、回転ハンドル５と挟持片６とを一体回転可能に連結している。回転ハンドル５と挟持片６との間隔は堰２の幅に略等しくしている。このように、ボス１３と軸部４ａとで構成する回転体４の両端部に回転ハンドル５と挟持片６を構成するものである。
【００１５】
このような構成によれば、回転ハンドル５及び挟持片６を略水平にした状態で、浴槽エプロン３の上端部を浴槽１６の上部の隠しフランジ１７の下部において上方に押し上げ、その後、引き下げるというけんどん方式によって浴槽エプロン３の下端部を堰２に載設し、回転ハンドル５を回転させ、回転ハンドル５の回転によって堰２の裏側において挟持片６を回転させて挟持片６と回転ハンドル５とで堰２を挟持して浴槽エプロン３を床パン１に取付けるのである。しかして、従来のようにビスを使用することなく浴槽エプロン３の固定を簡単、迅速、かつ、正確におこなうことができるものである。
【００１６】
この場合、図４及び図５に示すように、挟持片６に、堰２の表面を係止する係止突起１９を形成してあって、係止突起１９を堰２の表面に係止することから、挟持片６及び回転ハンドル５の戻り止めをおこなうことができ、浴槽エプロン３の取付けを、一層、確実におこなうことができるものである。係止突起１９は回転ハンドル５側に設けてもよいものである。
【００１７】
更に、床パン１の堰２の洗い場側部分に隣接して浴槽エプロン３の下部を落とし込み収納するとともに浴槽エプロン３の上端部の係止を外すための凹所９を形成してあって、床パン１に形成した凹所９において浴槽エプロン３の下部を落とし込むとともに浴槽エプロン３の上端部の係止を外すことができ、浴槽エプロン３の取外しを容易におこなうことができる。又、凹所９を排水溝に利用することができるものである。
【００１８】
図７乃至図９は他の実施の形態を示し、但し、本実施の形態の基本構成は上記実施の形態と共通であり、共通する部分には同一の符号を付して説明は省略する。
【００１９】
本実施の形態においては、挟持片６の構成において、段部１８を形成したものであり、段部１８において堰２の背面側の肩部２ａを係止するようにして、浴槽エプロン３の取付けを、一層、確実にするようにしたものである。
【００２０】
図１０は更に他の実施の形態を示し、但し、本実施の形態の基本構成は上記実施の形態と共通であり、共通する部分には同一の符号を付して説明は省略する。
【００２１】
本実施の形態においては、浴槽エプロン３の下端部の表面に凹部２１を形成し、凹部２１に回転ハンドル５を回転可能に収め、凹部２１の縁部に回転ハンドル５が一定以上に回転するのを阻止するストッパー２０を形成したものである。
【００２２】
本実施の形態においては、浴槽エプロン３の下部表面の凹部２１に回転ハンドル５を収めて回転ハンドル５が浴槽エプロン３の表面から突出することがなく、外観を高めながら、回転ハンドル５を所定の角度に回転させた場合に凹部２１の縁部のストッパー２０に当接してそれ以上の回転操作を阻止することができ、回転ハンドル５を所定の角度に回転させて回転ハンドル５及び挟持片６とによる堰２に対する固定を正しくおこなうことができるものである。
【００２３】
【発明の効果】
請求項１においては、床パンの表面に突出した堰を介して浴槽エプロンを取付ける構造であって、浴槽エプロンの表面側に配される回転ハンドルの裏面に軸部を突出し、軸部の先端部に角軸を形成し、回転ハンドルに対向する挟持片にはボスが突出され、ボスに角穴が形成され、回転ハンドルの軸部を浴槽エプロンの貫通孔に挿通し、角穴に角軸を差し込んで回転ハンドルと挟持片とを一体回転可能に構成し、回転ハンドルの回転によって回転ハンドル及び挟持片とを浴槽エプロンの下端より下方に突出させて挟持片と回転ハンドルとで床パンの堰を挟持するから、回転ハンドルの回転によって堰の裏側において挟持片を回転させて挟持片と回転ハンドルとで堰を挟持して浴槽エプロンを床パンに取付けることができるのであり、従来のようにビスを使用することなく浴槽エプロンの固定を簡単、迅速、かつ、正確におこなうことができるという利点がある。
【００２４】
請求項２においては、請求項１の構成に加えて、挟持片及び回転ハンドルの少なくとも一方に、堰の表面を係止する係止突起を形成してあるから、請求項１の効果に加えて、係止突起を堰に係止することで挟持片及び回転ハンドルの戻り止めをおこなうことができ、浴槽エプロンの取付けを、一層、確実におこなうことができるという利点がある。
【００２５】
請求項３においては、請求項１の構成に加えて、床パンの堰の洗い場側部分に隣接して浴槽エプロンの下部を落とし込み収納するとともに浴槽エプロンの上端部の係止を外すための凹所を形成してあるから、請求項１の効果に加えて、床パンに形成した凹所において浴槽エプロンの下部を落とし込むことができ、浴槽エプロンを外しやすくでき、又、凹所を排水溝に利用できるという利点がある。
【００２７】
請求項４においては、請求項１の構成に加えて、浴槽エプロンの下端部の表面に凹部を形成し、凹部に回転ハンドルを回転可能に収め、凹部の縁部に回転ハンドルが一定以上に回転するのを阻止するストッパーを形成しているから、請求項１の効果に加えて、浴槽エプロンの下部表面の凹部に回転ハンドルを収めて回転ハンドルが浴槽エプロンの表面から突出することがなく、外観を高めながら、回転ハンドルを所定の角度に回転させた場合に凹部の縁部のストッパーに当接してそれ以上の回転操作を阻止することができ、回転ハンドルを所定の角度に回転させて回転ハンドル及び挟持片とによる堰に対する固定を正しくおこなうことができるという利点がある。
【図面の簡単な説明】
【図１】本発明の実施の一形態の概略断面図である。
【図２】（ａ）は同上の要部の断面図、（ｂ）は概略正面図である。
【図３】同上の浴槽エプロンの上部の支持構造を示す断面図である。
【図４】（ａ）は挟持片及び回転ハンドルの分解側面図、（ｂ）は角軸の正面図である。
【図５】（ａ）は挟持片の背面図、（ｂ）は正面図である。
【図６】（ａ）は回転ハンドルの正面図、（ｂ）は平面図である。
【図７】同上の他の実施の形態の作用を示し、（ａ）（ｂ）は概略断面図である。
【図８】（ａ）は同上の要部の断面図、（ｂ）は挟持片の正面図、（ｃ）は回転ハンドルの正面図である。
【図９】（ａ）は同上の挟持片の側面図、（ｂ）は角穴を示す説明図、（ｃ）は下部の断面図である。
【図１０】同上の更に他の実施の形態の正面図である。
【図１１】従来例を示し、（ａ）（ｂ）は断面図である。
【符号の説明】
１  床パン
２  堰
３  浴槽エプロン
４  回転体
５  回転ハンドル
６  挟持片
【図１】
0003719111.tif 000002
【図２】
0003719111.tif 000003
【図３】
0003719111.tif 000004
【図４】
0003719111.tif 000005
【図５】
0003719111.tif 000006
【図６】
0003719111.tif 000007
【図７】
0003719111.tif 000008
【図８】
0003719111.tif 000009
【図９】
0003719111.tif 000010
【図１０】
0003719111.tif 000011
【図１１】
0003719111.tif 000012